(57)【要約】【課題】非標準記録媒体上の画像の見かけ上の色を標準記録媒体上の画像の見かけ上の色と一致させる。【解決手段】標準記録媒体の蛍光レベル三刺激値と、非標準記録媒体の蛍光レベル三刺激値に基づいて、線形近似を用いて第一の蛍光補正パラメータを算出する第一の蛍光補正パラメータ算出処理部３９ａと、標準記録媒体の蛍光レベル三刺激値と、非標準記録媒体の蛍光レベル三刺激値に基づいて、非線形近似を用いて第二の蛍光補正パラメータを算出する第二の蛍光補正パラメータ算出処理部３９ｂと、標準記録媒体の蛍光レベル三刺激値と、非標準記録媒体の蛍光レベル三刺激値との間の蛍光レベル相関係数を算出する蛍光レベル相関係数算出手段３７と、蛍光レベル相関係数に基づいて、第一の蛍光補正パラメータ算出処理部３９ａと第二の蛍光補正パラメータ算出処理部３９ｂのうちどちらを使用するかを決定する蛍光補正パラメータ算出方法決定部３８と、を備える。【選択図】図３
2016005243.tif 000002
【特許請求の範囲】
【請求項１】
標準記録媒体の蛍光レベル三刺激値と、前記標準記録媒体とは異なる非標準記録媒体の蛍光レベル三刺激値に基づいて、線形近似を用いて第一の蛍光補正パラメータを算出する第一の蛍光補正パラメータ算出処理手段と、
前記標準記録媒体の蛍光レベル三刺激値と、前記非標準記録媒体の蛍光レベル三刺激値に基づいて、非線形近似を用いて第二の蛍光補正パラメータを算出する第二の蛍光補正パラメータ算出処理手段と、
標準記録媒体の蛍光レベル三刺激値と、前記非標準記録媒体の蛍光レベル三刺激値との間の蛍光レベル相関係数を算出する蛍光レベル相関係数算出手段と、
前記蛍光レベル相関係数に基づいて、前記第一の蛍光補正パラメータ算出処理手段と前記第二の蛍光補正パラメータ算出処理手段のうちどちらを使用するかを決定する決定手段と、を備えることを特徴とする画像処理装置。
【請求項２】
前記標準記録媒体に形成されたカラーパッチの分光反射率を取得する第一の取得手段と、
前記非標準記録媒体に形成されたカラーパッチの分光反射率を取得する第二の取得手段と、
前記標準記録媒体の分光反射率と、前記非標準記録媒体の分光反射率との間の分光反射率差分値を算出する分光反射率差分値算出手段と、
前記標準記録媒体の分光反射率に基づいて、前記標準記録媒体の蛍光レベル三刺激値を算出する第一の蛍光レベル三刺激値算出手段と、
前記標準記録媒体の分光反射率、及び前記分光反射率差分値に基づいて、前記非標準記録媒体の蛍光レベル三刺激値を算出する第二の蛍光レベル三刺激値算出手段と、を備えたことを特徴とする請求項１に記載の画像処理装置。
【請求項３】
前記蛍光レベル相関係数算出手段は、
前記標準記録媒体の蛍光レベル三刺激値ＸＹＺのうちのＺ値と前記非標準記録媒体の蛍光三刺激値Ｘ’Ｙ’Ｚ’のうちのＺ’値との間の蛍光レベル相関係数を算出することを特徴とする請求項１に記載の画像処理装置。
【請求項４】
前記決定手段は、
前記蛍光レベル相関係数が前記閾値以上の場合に、前記第一の蛍光補正パラメータ算出処理手段に決定し、前記蛍光レベル相関係数が前記閾値未満の場合に、前記第二の蛍光補正パラメータ算出処理手段に決定することを特徴とする請求項１に記載の画像処理装置。
【請求項５】
前記蛍光レベル三刺激値に代わって、ＲＧＢ表色系、ＵＣＳ表色系、ＬＡＢ表色系のうち何れか１つの表色系を用いることを特徴とする請求項１乃至３の何れか１つに記載の画像処理装置。
【請求項６】
前記蛍光レベル相関係数算出手段は、
前記蛍光レベル三刺激値に代わって、均等知覚色空間を用いる場合に、彩度成分を用いて蛍光レベル相関係数を算出することを特徴とする請求項１に記載の画像処理装置。
【請求項７】
前記蛍光レベル相関係数算出手段は、
線形近似した場合におけるＺ成分の相関度合いを表す第一の蛍光レベル相関係数を算出する第一の蛍光レベル相関係数算出手段と、
非線形近似した場合におけるＺ成分の相関度合いを表す第二の蛍光レベル相関係数を算出する第二の蛍光レベル相関係数算出手段と、を備え、
前記決定手段は、
前記第一の蛍光レベル相関係数と前記第二の蛍光レベル相関係数の大小関係を比較する相関係数大小比較手段を備え、
前記相関係数大小比較手段による比較結果に応じて、前記第一の蛍光補正パラメータ算出処理手段と前記第二の蛍光補正パラメータ算出処理手段のうちどちらを使用するかを決定することを特徴とする請求項３に記載の画像処理装置。
【請求項８】
標準記録媒体の蛍光レベル三刺激値と、前記標準記録媒体とは異なる非標準記録媒体の蛍光レベル三刺激値に基づいて、線形近似を用いて第一の蛍光補正パラメータを算出する第一の蛍光補正パラメータ算出処理ステップと、
前記標準記録媒体の蛍光レベル三刺激値と、前記非標準記録媒体の蛍光レベル三刺激値に基づいて、非線形近似を用いて第二の蛍光補正パラメータを算出する第二の蛍光補正パラメータ算出処理ステップと、
標準記録媒体の蛍光レベル三刺激値と、前記非標準記録媒体の蛍光レベル三刺激値との間の蛍光レベル相関係数を算出する蛍光レベル相関係数算出ステップと、
前記蛍光レベル相関係数に基づいて、前記第一の蛍光補正パラメータ算出処理ステップと前記第二の蛍光補正パラメータ算出処理ステップのうちどちらを使用するかを決定する決定ステップと、を備えることを特徴とする画像処理方法。
【請求項９】
請求項８に記載の各ステップをプロセッサに実行させることを特徴とするプログラム。
【発明の詳細な説明】
【技術分野】
【０００１】
本発明は、蛍光を含む非標準記録媒体に色再現して画像を形成するのに好適な画像処理装置、画像処理方法、及びプログラムに関する。
【背景技術】
【０００２】
プリンタや複写機のカラーマネージメントでは、蛍光特性が異なる非標準記録媒体で出力する場合であっても、理想的には常に同じ色で出力することが求められる。そのため、非標準記録媒体の差を補正する補正処理を行う、あるいは、非標準記録媒体に対応したカラープロファイルを作成して適用する技術が既に知られている。
特許文献１には、蛍光特性が異なる非標準記録媒体においても同じ色で出力することを目的とし、蛍光を考慮した形成画像を形成することが可能になる色変換方法について開示されている。
【発明の概要】
【発明が解決しようとする課題】
【０００３】
しかし、従来の非標準記録媒体の差を補正する補正処理手段では、紫外線を吸収するような特性を有する色材や単色の色相に曲がりが生じる色材または用紙に適用した場合に補正処理が正しく行われないといった問題があった。
具体的には、上記のような場合、非標準記録媒体の三刺激値ＸＹＺと標準記録媒体の三刺激値ＸＹＺの各成分は非線形な関係になり、特に蛍光増白剤の発光に最も左右されるＺ成分が非線形な関係になることが実験的にわかっている。
従来技術における補正処理手段では、標準記録媒体の三刺激値ＸＹＺを非標準記録媒体の三刺激値ＸＹＺへ変換する変換式が線形式で表されていることから、従来における補正パラメータ生成手段および補正処理手段では、正しく非標準記録媒体と標準記録媒体の差を補正することができないといった問題があった。
特許文献１にあっては、標準記録媒体や非標準記録媒体の測色値に基づいて補正パラメータを設定し、設定した補正パラメータを用いて、入力の色値を色変換する点が開示されている。しかし、紫外線を吸収するような特性を有する色材や単色の色相に曲がりが生じる色材または用紙に適用した場合に、補正の精度が悪くなるといった問題は解消できていない。
本発明は、上記に鑑みてなされたもので、その目的としては、標準記録媒体とは異なる蛍光特性を有する非標準記録媒体に形成される画像の見かけ上の色を標準記録媒体に形成される画像の見かけ上の色と一致させることが可能な画像処理装置、画像処理方法、及びプログラムを提供することにある。
【課題を解決するための手段】
【０００４】
上記課題を解決するたに、請求項１記載の発明は、標準記録媒体の蛍光レベル三刺激値と、前記標準記録媒体とは異なる非標準記録媒体の蛍光レベル三刺激値に基づいて、線形近似を用いて第一の蛍光補正パラメータを算出する第一の蛍光補正パラメータ算出処理手段と、前記標準記録媒体の蛍光レベル三刺激値と、前記非標準記録媒体の蛍光レベル三刺激値に基づいて、非線形近似を用いて第二の蛍光補正パラメータを算出する第二の蛍光補正パラメータ算出処理手段と、標準記録媒体の蛍光レベル三刺激値と、前記非標準記録媒体の蛍光レベル三刺激値との間の蛍光レベル相関係数を算出する蛍光レベル相関係数算出手段と、前記蛍光レベル相関係数に基づいて、前記第一の蛍光補正パラメータ算出処理手段と前記第二の蛍光補正パラメータ算出処理手段のうちどちらを使用するかを決定する決定手段と、を備えることを特徴とする。
【発明の効果】
【０００５】
本発明によれば、標準記録媒体とは異なる蛍光特性を有する非標準記録媒体に形成される画像の見かけ上の色を標準記録媒体に形成される画像の見かけ上の色と一致させることができる。
【図面の簡単な説明】
【０００６】
【図１】本発明の第一実施形態に係わる画像処理装置の一例である画像形成システムの構成を示すブロック図である。
【図２】図１に示す画像処理装置における画像処理プロセスを実現するための機能構成について説明するためのブロック図である。
【図３】図１に示す蛍光補正パラメータ生成装置における蛍光補正パラメータ生成プロセスを実現するための機能構成について説明するためのブロック図である。
【図４】図３に示す蛍光レベル差算出部において算出される蛍光レベル差について説明するためのグラフ図である。
【図５】蛍光レベル差算出部で使用するＵＶカットフィルタなしとありの差分の基本波形について説明するための図である。
【図６】線形近似を用いて蛍光補正パラメータを算出する場合のＺ、Ｚ’の関係を表すグラフ図である。
【図７】非線形近似を用いて蛍光補正パラメータを算出する場合のＺ、Ｚ’の関係を表すグラフ図である。
【図８】Ｚ、Ｚ’が非線形な関係である場合に対して、線形近似を用いて蛍光補正パラメータ生成したときの単色ＣＭＹ階調の色変換誤差を示すプロット図である。
【図９】Ｚ、Ｚ’が非線形な関係である場合に対して、非線形近似を用いて蛍光補正パラメータ生成したときの単色ＣＭＹ階調の色変換誤差を示すプロット図である。
【図１０】蛍光補正パラメータ生成装置および画像処理装置により実行される蛍光補正に係る一連の処理について説明するためのフローチャートである。
【図１１】本発明の第二実施形態に係る蛍光補正パラメータ生成装置および画像処理装置により実行される蛍光補正にかかわる一連の処理について説明するためのフローチャートである。
【発明を実施するための形態】
【０００７】
本発明の実施の形態を説明する。本発明は、標準記録媒体と非標準記録媒体との蛍光レベル差を補正する補正処理に用いられる補正パラメータ生成処理に際して、以下の特徴を有する。要するに、標準記録媒体の三刺激値ＸＹＺにおけるＺ成分と、標準記録媒体の三刺激値ＸＹＺに対して、非標準記録媒体との蛍光レベル差に基づいて補正処理を行って得られた三刺激値Ｘ’Ｙ’Ｚ’におけるＺ成分との関係から両者の相関度合いを示す蛍光レベル相関係数を求め、蛍光レベル相関係数に基づいて色変換パラメータ算出方法を切り替え、色変換パラメータ算出方法に基づいて、色変換パラメータを算出することが特徴になっている。
【０００８】
本発明の実施形態について、図面を参照して説明する。
＜第一実施形態＞
図１は、本発明の第一実施形態に係わる画像処理装置の一例である画像形成システム１の構成を示すブロック図である。
画像形成システム１は、画像形成プロセスを実現するための機能構成として、図１に示すように、測色装置１０と、ＰＣ２０と、蛍光補正パラメータ生成装置３０と、画像形成装置４０と、画像処理装置５０とを備えている。
ＰＣ２０は、内部にＲＯＭ（Read Only Memory）、ＲＡＭ（Random Access Memory）、ＣＰＵ（Central Processing Unit）、ＨＤＤ（Hard Disk Drive）を備えている。ＰＣ２０は、ＨＤＤからオペレーティングシステムＯＳを読み出してＲＡＭ上に展開してＯＳを起動し、ＯＳ管理下において、ＨＤＤからプログラム（処理モジュール）を読み出し、各種処理を実行する。
【０００９】
蛍光補正パラメータ生成装置３０は、測色装置１０において計測された標準記録媒体および非標準記録媒体の多数のカラーパッチ分光反射率を、ＰＣ２０を介して取得し、その結果に基づいて、非標準記録媒体と標準記録媒体との蛍光レベル差を補正するための蛍光補正パラメータを生成し、画像処理装置５０へ送出する。
画像処理装置５０は、ネットワークＮに接続されており、同じネットワークＮに接続されたユーザＰＣ２０から送出される画像データに対して、ＰＣ２０から送出されるカラープロファイル（あるいは画像処理装置５０の内部で保持しているカラープロファイル）、および蛍光補正パラメータ生成装置３０から送出される蛍光補正パラメータに基づいて、画像処理を施し、画像形成装置３０に画像データを送出する。
画像形成装置３０は、画像処理装置５０によって処理された画像データに基づいて、物理的な画像の出力媒体である用紙上に画像を形成する。例えば、シアン（Ｃ）、マゼンタ（Ｍ）、イエロー（Ｙ）、ブラック（Ｋ）の４色を基本色材とし、これらの混色でフルカラー画像を用紙上に形成する。
【００１０】
図２は、図１に示す画像処理装置５０における画像処理プロセスを実現するための機能構成について説明するためのブロック図である。
画像処理装置５０は、画像処理プロセスを実現するための機能構成として、図２に示すように、画像データ取得部５１と、ソースプロファイル色変換部５３と、蛍光補正パラメータ取得部５５と、蛍光補正処理部５６と、出力プロファイル変換部５７とを備える。
画像データ取得部５１は、ネットワークＮを介してユーザＰＣ２０から送付される画像データ５２を取得する。なお、画像データ取得部５１が取得する画像データ５２は、ＰＣ２０からネットワークＮを介して送付される画像データに限られるものではない。例えば、画像形成装置４０がスキャナを備えている場合、このスキャナで読み取った画像データ５２を、画像データ取得部５１が取得するようにしても良い。
ソースプロファイル色変換部５３は、画像データ取得部５１が取得した画像データ５２に対して、ＲＧＢ、ＣＭＹＫ等のデバイスに依存した色空間の表色値から、デバイスに依存しない色空間であるＰＣＳ（Profile Connection Space）の表色値（ＣＩＥＬａｂ値あるいはＣＩＥＸＹＺ値など）に変換する色変換を行う。
なお、蛍光レベル三刺激値に代わって、ＲＧＢ表色系、ＵＣＳ表色系、ＬＡＢ表色系のうち何れか１つに表色系を用いてもよい。
このように、蛍光レベル三刺激値に代わって、ＲＧＢ表色系、ＵＣＳ表色系、ＬＡＢ表色系のうち何れか１つの表色系を用いること、蛍光レベル相関係数を算出することができる。
また、蛍光レベル相関係数算出部３７は、蛍光レベル三刺激値に代わって、均等知覚色空間を用いる場合に、彩度成分を用いて蛍光レベル相関係数を算出してもよい。これにより、蛍光レベル三刺激値に代わって、均等知覚色空間を用いる場合に、彩度成分を用いて蛍光レベル相関係数を算出することで、蛍光レベル相関係数を算出することができる。
【００１１】
出力プロファイル変換部５７は、蛍光補正処理部５６によって補正されたＰＣＳ表色値である画像データを画像形成装置３０が扱うＣＭＹＫの色空間の表色値に変換する色変換を行い、変換された画像データを画像形成装置４０に送出する。
ソースプロファイル色変換部５３および出力プロファイル変換部５７で扱われるカラープロファイルは、ＰＣ２０を介して得られるものであっても良いし、画像処理装置５０が保持しているものであっても良い。また、これらの色変換プロファイルは、例えば、３次元ＬＵＴ（Look Up Table）で構成され、色変換プロファイルとしては、公知のＩＣＣプロファイルが挙げられる（ＩＣＣ：インターナショナル・カラー・コンソーシアム）。
蛍光補正処理部５６は、ソースプロファイル色変換部５３から送出されるＰＣＳ表色値である画像データを、蛍光補正パラメータ取得部５５が取得した補正パラメータに基づいて、色変換を行う。例えば、ＣＩＥＸＹＺ値であった場合、式１あるいは式２に従ってＸＹＺ値からＸ’Ｙ’Ｚ’値への変換を行う。
ここで、式１は線形式による色変換が行われることを示しており、式２は非線形式による色変換が行われることを示している。これら蛍光補正パラメータｍ１１〜ｍ３４およびｍ１１〜ｍ３１０は、蛍光補正パラメータ生成装置３０にて設定される補正パラメータである。なお、式１および式２のどちらの変換式を用いるかは、パラメータの個数によって自動的に決まる。
【００１２】
2016005243.tif 000003
・・・（式１）
【００１３】
2016005243.tif 000004
・・・（式２）
【００１４】
図３は、図１に示す蛍光補正パラメータ生成装置３０における蛍光補正パラメータ生成プロセスを実現するための機能構成について説明するためのブロック図である。
蛍光補正パラメータ生成装置３０は、蛍光補正パラメータ生成プロセスを実現するための機能構成として、標準記録媒体分光反射率取得部３１と、非標準記録媒体分光反射率取得部３２と、蛍光レベル差算出部３３と、標準記録媒体蛍光レベル三刺激値ＸＹＺ算出部３４と、非標準記録媒体蛍光レベル三刺激値ＸＹＺ算出部３５と、Ｚ、Ｚ’取得部３６と、蛍光レベル相関係数算出部３７と、蛍光補正パラメータ算出方法決定部３８と、蛍光補正パラメータ生成部３９とを備える。
標準記録媒体分光反射率取得部３１および非標準記録媒体分光反射率取得部３２は、ＰＣ２０を介して、測色装置１０において得られた標準記録媒体および非標準記録媒体のカラーパッチ分光反射率を取得する。
蛍光レベル差算出部３３は、標準記録媒体および非標準記録媒体のカラーパッチ分光反射率および蛍光補正パラメータ生成装置３０の内部で保持している蛍光補正パラメータに基づいて蛍光レベル差を算出する。
【００１５】
図４は、図３に示す蛍光レベル差算出部３３において算出される蛍光レベル差について説明するためのグラフ図である。
図４（ａ）は、各非標準記録媒体に含まれる蛍光増白剤の量を表す蛍光レベルは、同じ非標準記録媒体を、測色器にＵＶカットフィルタを装着しない状態で測色した、ＵＶカットフィルタなしでの非標準記録媒体の分光反射率を示している。
図４（ｂ）は、測色器にＵＶカットフィルタを装着した状態で測色した、ＵＶカットフィルタありでの非標準記録媒体の分光反射率を示している。
図４（ａ）、（ｂ）から分かるように、蛍光増白剤が多い（蛍光レベルが高い）非標準記録媒体は、（ａ）と（ｂ）の分光反射率波形が大きく異なる。蛍光増白剤が少ない（蛍光レベルが低い）非標準記録媒体は、（ａ）と（ｂ）の分光反射率波形が類似している。
図４（ａ）に示すように、（ａ）ＵＶカットフィルタなしでの非標準記録媒体の分光反射率と（ａ）測色器にＵＶカットフィルタを装着した状態での非標準記録媒体の分光反射率との差分である（ｃ）の波形のピークの高さを、各非標準記録媒体の蛍光レベルと定義する。ピークは４４０ｎｍ付近の波長で現れる。蛍光レベル差は、ピーク即ち４４０ｎｍにおける分光反射率の標準記録媒体との差分になる。
【００１６】
図５は、蛍光レベル差算出部で使用するＵＶカットフィルタなしとありの差分の基本波形について説明するための図である。
蛍光レベル差算出部３３では、非標準記録媒体と標準記録媒体の蛍光レベル差を算出する。標準記録媒体の蛍光レベルは、予め算出して蛍光補正パラメータ生成装置３０に記憶しておいてもよい。
図４（ｃ）は、いずれも図５の基本波形を係数倍した形状で近似可能である。その係数こそが蛍光レベルである。蛍光レベルを算出する対象非標準記録媒体の（１）ＵＶカットなしでの非標準記録媒体の分光反射率をＲｗ（λ）とし、算出する蛍光レベルをＲＦ（ｆ）とする。Ｒｗ（λ）のピークである４４０ｎｍと、蛍光増白剤の影響を受ける短波長側と蛍光増白剤の影響を受けない長波長側の境界である５２０ｎｍにおける分光反射率差分を式３のとおりｆとすると、蛍光レベルＲＦ（ｆ）は式４のとおりｆの線形変換で算出できる。
【００１７】
ｆ＝Ｒｗ（４４０）−Ｒｗ（５２０）      ・・・（式３）
ＲＦ（ｆ）α＋β・ｆ      ・・・（式４）
【００１８】
＜線形近似＞
式４の線形変換パラメータα、βは、予め設定して記憶しておく。蛍光レベルが比較的高い非標準記録媒体をいくつか測色して、（１）ＵＶカットなしでの非標準記録媒体の分光反射率と（２）ＵＶカットありでの非標準記録媒体の分光反射率を取得し、（３）ＵＶカットフィルタありとなしの差分を求める。
二次元平面の横軸に各非標準記録媒体の（１）４４０ｎｍと５２０ｎｍの差分（＝ｆ）、縦軸に各非標準記録媒体の（３）４４０ｎｍにおける差分値（＝蛍光レベルＲＦ（ｆ））をプロットし、近似直線を求める。
ここで、近似直線の切片がα、傾きがβになる。線形変換パラメータα、β、及び、図５の基本波形は、蛍光補正パラメータとしてまとめて予め蛍光補正パラメータ生成装置３０に記憶しておく。
【００１９】
図３に示す標準記録媒体蛍光レベル三刺激値ＸＹＺ算出部３４は、標準記録媒体のカラーパッチ分光反射率を三刺激値ＸＹＺに変換する。
非標準記録媒体蛍光レベル三刺激値ＸＹＺ算出部３５は、標準記録媒体のカラーパッチ分光反射率および標準記録媒体と非標準記録媒体の蛍光レベル差に基づいて、非標準記録媒体に形成した場合の予測分光反射率を算出し、算出された分光反射率を三刺激値ＸＹＺに変換する。
このように、標準記録媒体の蛍光レベル三刺激値と、非標準記録媒体の蛍光レベル三刺激値Ｘ’Ｙ’Ｚ’とを算出することができる。
蛍光レベル相関係数算出部３７は、標準記録媒体蛍光レベル三刺激値ＸＹＺのＺと、非標準記録媒体蛍光レベル三刺激値Ｘ’Ｙ’Ｚ’のＺ’に対して、式５に基づいて相関係数ρを算出する。
【００２０】
2016005243.tif 000005
・・・（式５）
【００２１】
ただし、Ｚバー、Ｚ’バーはそれぞれＺ、Ｚ’の平均値とする。
このように、標準記録媒体の蛍光レベル三刺激値ＸＹＺのうちのＺ値と非標準記録媒体の蛍光三刺激値Ｘ’Ｙ’Ｚ’のうちのＺ’値との間の蛍光レベル相関係数を算出することで、蛍光レベル三刺激値のうちの相関関係が強いＺＺ‘値を用いて蛍光レベル相関係数を算出することができる。
蛍光補正パラメータ算出方法決定部３８は、蛍光レベル相関係数ρおよび閾値Ｔｈρに基づいて、二通りの蛍光補正パラメータ算出方法からいずれか一方の算出方法を決定する。
ここで、蛍光レベル相関係数ρが閾値Ｔｈρ以上（ρ≧Ｔｈρ）の場合、Ｚ、Ｚ’値の相関関係が強い、つまり、線形近似しても誤差が無視できるくらい小さいとみなし、線形式による近似によって蛍光補正パラメータを求めると決定する。
逆に、蛍光レベル相関係数ρが閾値Ｔｈρ未満（ρ＜Ｔｈρ）の場合、線形近似すると誤差が無視できないとみなし、非線形近似を用いて蛍光補正パラメータを求めると決定する。
このように、蛍光レベル相関係数が閾値以上か未満かに応じて適切に蛍光補正パラメータの算出部を決定することができる。
蛍光補正パラメータ生成部３９は、標準記録媒体蛍光レベル三刺激値ＸＹＺと、非標準記録媒体蛍光レベル三刺激値Ｘ’Ｙ’Ｚ’と蛍光補正パラメータ算出方法に基づき、蛍光補正パラメータを生成する。さらに、蛍光補正パラメータ生成部３９は、第一の蛍光補正パラメータ算出処理部３９ａと、第二の蛍光補正パラメータ算出処理部３９ｂとを備えている。
第一の蛍光補正パラメータ算出処理部３９ａは、標準記録媒体の蛍光レベル三刺激値と、非標準記録媒体の蛍光レベル三刺激値に基づいて、線形近似を用いて第一の蛍光補正パラメータを算出する。第二の蛍光補正パラメータ算出処理部３９ｂは、標準記録媒体の蛍光レベル三刺激値と、非標準記録媒体の蛍光レベル三刺激値に基づいて、非線形近似を用いて第二の蛍光補正パラメータを算出する。
【００２２】
＜非線形近似＞
蛍光補正パラメータ算出方法決定部３８により、非線形近似を用いて蛍光補正パラメータを求めると決定された場合の詳細を説明する。
標準記録媒体蛍光レベル三刺激値（Ｘ１、Ｙ１、Ｚ１）、（Ｘ２、Ｙ２、Ｚ２）、（Ｘ３、Ｙ３、Ｚ３）、・・・・とし、非標準記録媒体蛍光レベル三刺激値Ｘ’Ｙ’Ｚ’を、（Ｘ１’、Ｙ１’、Ｚ１’）、（Ｘ２’、Ｙ２’、Ｚ２’）、（Ｘ３’、Ｙ３’、Ｚ３’）、・・・・とする。各々のＸＹＺの組を式６に代入して、重回帰分析（平均二乗誤差最小）により係数ａ１１〜ａ３１０を求める。
【００２３】
2016005243.tif 000006
・・・（式６）
【００２４】
次に、蛍光補正により非標準記録媒体における白色を標準記録媒体における白色に確実に変換するため、式６より求められた係数ａ１１〜ａ３１０に白色補正処理を行う。
標準記録媒体蛍光レベル三刺激値ＸＹＺの白色に関する値（Ｘｗ、Ｙｗ、Ｚｗ）と、非標準記録媒体蛍光レベル三刺激値Ｘ’Ｙ’Ｚ’の白色の値に対して式６にて求めた係数で演算した値（Ｘｕｗ、Ｙｕｗ、Ｚｕｗ）に基づいて、式６にて求めた係数ａ１１〜ａ３１０に乗算して、蛍光補正パラメータｍ１１〜ｍ３１０を算出する。算出式は式７になる。
【００２５】
2016005243.tif 000007
・・・（式７）
【００２６】
式７により得られた蛍光補正パラメータｍ１１〜ｍ３１０は画像処理装置５０に送出される。
【００２７】
＜線形近似＞
また、蛍光補正パラメータ算出方法決定部３８により、線形近似を用いて蛍光補正パラメータを求めると決定された場合、蛍光補正パラメータ生成部３９により線形近似を用いて蛍光補正パラメータを算出する。
なお、蛍光補正パラメータ生成装置３０の内部で保持している蛍光補正パラメータ（線形変換パラメータα、βにおいて、近似直線の切片がα、傾きがβ）を読み出し、上述した式４を用いて線形変換を行えば良い。
すなわち、線形変換パラメータα、β、分光反射率差分ｆに基づいて、式４に従って線形近似により蛍光レベルＲＦ（ｆ）を算出する。
このように、第一の蛍光補正パラメータ算出処理部３９ａと第二の蛍光補正パラメータ算出処理部３９ｂのうちどちらを使用することで、線形近似を用いた第一の蛍光補正パラメータ、又は非線形近似を用いた第二の蛍光補正パラメータを算出することができ、どちらかの蛍光補正パラメータを用いて、標準記録媒体とは異なる蛍光特性を有する非標準記録媒体に形成される画像の見かけ上の色を標準記録媒体に形成される画像の見かけ上の色と一致させることができる。
【００２８】
図６、図７を参照して、蛍光補正パラメータ生成装置３０において、標準記録媒体蛍光レベルのＺと非標準記録媒体蛍光レベルのＺ’の関係に応じて色変換パラメータ算出方法を切り替える理由について説明する。図６は線形近似を用いて蛍光補正パラメータを算出する場合のＺ、Ｚ’の関係を表すグラフ図である。図７は非線形近似を用いて蛍光補正パラメータを算出する場合のＺ、Ｚ’の関係を表すグラフ図である。
図６は、線形近似を用いて蛍光補正パラメータを算出する場合の標準記録媒体三刺激値Ｚと非標準記録媒体三刺激値Ｚ’との関係を示している。図中、黒直線は、ＺとＺ’に対する近似直線である。
図６によると、近似直線がプロット点に対してきれいに乗っていることから、線形近似を用いて非常に精度よく色変換が行えることがわかる。これは、紫外線を吸収するような特性を有していない色材や単色階調の色相に曲がりが生じない色材または用紙における実測値である。
【００２９】
図７は、非線形近似を用いて蛍光補正パラメータを算出する場合の標準記録媒体三刺激値Ｚと非標準記録媒体三刺激値Ｚ’との関係を示している。図中、黒直線は、ＺとＺ’に対する近似直線である。
図７によると、図６に比べて近似直線がプロット図から外れていることがわかる。この場合、線形近似を用いて色変換を行うと、精度が悪くなるため非線形近似を用いて蛍光補正パラメータを算出する必要がある。
図７は、紫外線を吸収するような特性を有する色材や単色階調の色相に曲がりが生じる色材または用紙における実測値である。
本実施形態では、このような理由から、標準記録媒体三刺激値Ｚと非標準記録媒体三刺激値Ｚ’との関係に応じて、色変換パラメータの算出方法を切り替えている。
【００３０】
図８、図９を参照して、非線形近似を用いた蛍光補正パラメータ生成による効果について説明する。図８は、Ｚ、Ｚ’が非線形な関係である場合に対して、線形近似を用いて蛍光補正パラメータ生成したときの単色ＣＭＹ階調の色変換誤差を示すプロット図である。図９は、Ｚ、Ｚ’が非線形な関係である場合に対して、非線形近似を用いて蛍光補正パラメータ生成したときの単色ＣＭＹ階調の色変換誤差を示すプロット図である。
ここでは、Ｚ、Ｚ’が非線形な関係である場合に対して、線形近似を用いた蛍光補正パラメータ算出方法を適用したときと、非線形近似を用いた蛍光補正パラメータ算出方法を適用したときの色変換誤差を比較し、非線形近似を用いた蛍光補正パラメータ算出方法を適用したほうが優位であることを示す。
【００３１】
図８および図９は、標準記録媒体蛍光レベル三刺激値ＸＹＺをＬａｂ変換した第一の色値と、非標準記録媒体蛍光レベル三刺激値ＸＹＺに対して蛍光補正パラメータを用いて色変換した三刺激値ＸＹＺをＬａｂ変換した第二の色値をＬ＝０の平面上にプロットした図である。図中、四角形は第一の色値を示し、円形は第二の色値を示し、矢印は結ばれている点同士が各色値における色変換前後に対応していることを示している。理想的には、蛍光補正パラメータによる色変換によって、第一の色値と第二の色値は一致することが望ましい。つまり、青矢印のスカラー量が０に近ければ近いほど色変換による誤差が小さいことになる。
図８は、線形近似を用いて蛍光補正パラメータ生成したときの単色ＣＭＹ階調の色変換誤差を示しており、図９は非線形近似を用いて蛍光補正パラメータ生成したときの単色ＣＭＹ階調の色変換誤差を示している。
図８、図９を比較すると、特にイエロー（Ｙ）ベタ付近および紙白（Ｗ）付近において、図９の方が図８よりも変換誤差が小さくなっていることがわかり、非線形近似を用いた蛍光補正パラメータ算出方法が優位であることがわかる。図８、図９では単色階調の色点しか表示していないが、非線形近似の優位性は混色においても現れていることも実験的にわかっている。
【００３２】
図１０は、蛍光補正パラメータ生成装置３０および画像処理装置５０により実行される蛍光補正に係る一連の処理について説明するためのフローチャートである。
図１０において、メインルーチンが開始されると、まず、ステップＳ１０１において、ＰＣ２０を介して測色装置１０により得られた標準記録媒体分光反射率Ｒおよび非標準記録媒体分光反射率Ｒｕを取得する。
次に、ステップＳ１０２において、ステップＳ１０１にておいて取得された標準記録媒体分光反射率Ｒおよび非標準記録媒体分光反射率Ｒｕより、標準記録媒体と非標準記録媒体との蛍光レベル差となる分光反射率差分Ｒｓを算出する。
次に、ステップＳ１０３において、標準記録媒体分光反射率Ｒより標準記録媒体蛍光レベル三刺激値ＸＹＺを算出する。
次に、ステップＳ１０４において、標準記録媒体分光反射率Ｒ、分光反射率差分Ｒｓより非標準記録媒体蛍光レベル三刺激値Ｘ’Ｙ’Ｚ’を算出する。
次に、ステップＳ１０５において、標準記録媒体蛍光レベル三刺激値ＸＹＺ、非標準記録媒体蛍光レベル三刺激値Ｘ’Ｙ’Ｚ’より、Ｚ、Ｚ’を抽出し、式５を用いて蛍光レベル相関係数ρを算出する。
【００３３】
次に、ステップＳ１０６において、蛍光レベル相関係数ρと蛍光レベル相関係数閾値Ｔｈρとの比較を行い、蛍光レベル相関係数ρが蛍光レベル相関係数閾値Ｔｈρ以上であれば、ステップＳ１０７に進み、線形近似を用いて蛍光補正パラメータを算出する。
一方、蛍光レベル相関係数ρが蛍光レベル相関係数閾値Ｔｈρ未満であれば、非線形近似を用いて蛍光補正パラメータを算出する。
次に、ステップＳ１０９において、ステップＳ１０７またはステップＳ１０８において得られたパラメータの数を判定し、１２以下であれば、蛍光補正処理部５６において３＊４マトリクス演算による蛍光補正処理を行う。
一方、パラメータの数が１３以上であれば、蛍光補正処理部５６において３＊１０マトリクス演算による蛍光補正処理を行う。
【００３４】
本実施形態によれば、紫外線を吸収するような特性を有する色材や、単色の色相に曲がりが生じる色材または用紙に適用した場合においても、より高精度に補正処理を行うことができる。
詳しくは、紫外線を吸収するような特性を有する色材や単色階調の色相に曲がりが生じる色材または用紙においては、非標準記録媒体の三刺激値ＸＹＺと標準記録媒体の三刺激値ＸＹＺの各成分は非線形な関係になる（特に蛍光増白剤の発光に最も左右されるＺ成分）。従来では線形式による補正を行っており、十分な精度で補正処理が行われなかった。本実施形態によれば、非線形式による補正が行えるように補正パラメータを生成するので、紫外線を吸収するような特性を持った色材や単色階調の色相に曲がりが生じる色材または用紙に適用した場合においても、より高精度に蛍光補正処理が行うことができる。
このように、ステップＳ１０７とステップＳ１０８とのうちどちらかを使用することで、線形近似を用いた第一の蛍光補正パラメータ、又は非線形近似を用いた第二の蛍光補正パラメータを算出することができ、どちらかの蛍光補正パラメータを用いて、標準記録媒体とは異なる蛍光特性を有する非標準記録媒体に形成される画像の見かけ上の色を標準記録媒体に形成される画像の見かけ上の色と一致させることができる。
また、上述した各ステップをＣＰＵに実行させることができるので、ステップＳ１０７とステップＳ１０８とのうちどちらかを使用することで、線形近似を用いた第一の蛍光補正パラメータ、又は非線形近似を用いた第二の蛍光補正パラメータを算出することができ、どちらかの蛍光補正パラメータを用いて、標準記録媒体とは異なる蛍光特性を有する非標準記録媒体に形成される画像の見かけ上の色を標準記録媒体に形成される画像の見かけ上の色と一致させることができる。
【００３５】
＜第二実施形態＞
図１１は、図１０とは別の実施形態として、本発明の第二実施形態に係る蛍光補正パラメータ生成装置３０および画像処理装置５０により実行される蛍光補正にかかわる一連の処理について説明するためのフローチャートである。
図１１において、まず、ステップＳ２０１〜Ｓ２０４は、図１０におけるステップＳ１０１〜Ｓ１０４と重複するため、その説明を省略する。
次に、ステップＳ２０５において、線形近似を用いて蛍光補正パラメータを算出する。また、ステップＳ２０５と並列して実行されるステップＳ２０６において、非線形近似を用いて蛍光補正パラメータを算出する。
次に、ステップＳ２０７において、ステップＳ２０５の重回帰分析によって求めたＺ成分に関する予測式の予測精度を示す重相関係数ρ１を算出する。
また、ステップＳ２０７と並列して実行されるステップＳ２０８において、ステップＳ２０６の重回帰分析によって求めたＺ成分に関する予測式の予測精度を示す重相関係数ρ２を算出する。
次に、ステップＳ２０９において、重相関係数ρ１と重相関係数ρ２の大小関係を比較して、重相関係数ρ１の方が大きい場合、ステップＳ２１０に進み、線形近似を用いて求めた蛍光補正パラメータを蛍光補正パラメータ取得部５５に送出する。
【００３６】
一方、重相関係数ρ２の方が大きい場合、ステップＳ２１１に進み、線形近似を用いて求めた蛍光補正パラメータを蛍光補正パラメータ取得部５５に送出する。
次に、ステップＳ２１２〜Ｓ２１４は、図１０におけるステップＳ１０９〜Ｓ１１１と重複するため、その説明を省略する。
このように、ステップＳ２１０とステップＳ２１１のうちどちらを使用することで、線形近似を用いた第一の蛍光補正パラメータ、又は非線形近似を用いた第二の蛍光補正パラメータを算出することができ、どちらかの蛍光補正パラメータを用いて、標準記録媒体とは異なる蛍光特性を有する非標準記録媒体に形成される画像の見かけ上の色を標準記録媒体に形成される画像の見かけ上の色と一致させることができる。
【００３７】
＜本発明の実施態様例と効果＞
＜第一態様＞
本態様の蛍光補正パラメータ生成装置３０は、標準記録媒体の蛍光レベル三刺激値と、標準記録媒体とは異なる非標準記録媒体の蛍光レベル三刺激値に基づいて、線形近似を用いて第一の蛍光補正パラメータを算出する第一の蛍光補正パラメータ算出処理部３９ａと、標準記録媒体の蛍光レベル三刺激値と、非標準記録媒体の蛍光レベル三刺激値に基づいて、非線形近似を用いて第二の蛍光補正パラメータを算出する第二の蛍光補正パラメータ算出処理部３９ｂと、標準記録媒体の蛍光レベル三刺激値と、非標準記録媒体の蛍光レベル三刺激値との間の蛍光レベル相関係数を算出する蛍光レベル相関係数算出手段３７と、蛍光レベル相関係数に基づいて、第一の蛍光補正パラメータ算出処理部３９ａと第二の蛍光補正パラメータ算出処理部３９ｂのうちどちらを使用するかを決定する蛍光補正パラメータ算出方法決定部３８と、を備えることを特徴とする。
本態様によれば、第一の蛍光補正パラメータ算出処理部３９ａと第二の蛍光補正パラメータ算出処理部３９ｂのうちどちらを使用することで、線形近似を用いた第一の蛍光補正パラメータ、又は非線形近似を用いた第二の蛍光補正パラメータを算出することができ、どちらかの蛍光補正パラメータを用いて、標準記録媒体とは異なる蛍光特性を有する非標準記録媒体に形成される画像の見かけ上の色を標準記録媒体に形成される画像の見かけ上の色と一致させることができる。
【００３８】
＜第二態様＞
本態様の画像処理システム１は、標準記録媒体に形成されたカラーパッチの分光反射率を取得する標準記録媒体分光反射率取得部３１と、非標準記録媒体に形成されたカラーパッチの分光反射率を取得する非標準記録媒体分光反射率取得部３２と、標準記録媒体の分光反射率と、非標準記録媒体の分光反射率との間の分光反射率差分値を算出する蛍光レベル差算出部３３と、標準記録媒体の分光反射率に基づいて、標準記録媒体の蛍光レベル三刺激値を算出する標準記録媒体蛍光レベル三刺激値ＸＹＺ算出部３４と、標準記録媒体の分光反射率、及び分光反射率差分値に基づいて、非標準記録媒体の蛍光レベル三刺激値を算出する非標準記録媒体蛍光レベル三刺激値Ｘ’Ｙ’Ｚ’算出部３５と、を備えたことを特徴とする。
本態様によれば、標準記録媒体の蛍光レベル三刺激値と、非標準記録媒体の蛍光レベル三刺激値Ｘ’Ｙ’Ｚ’とを算出することができる。
【００３９】
＜第三態様＞
本態様の蛍光レベル相関係数算出部３７は、標準記録媒体の蛍光レベル三刺激値ＸＹＺのうちのＺ値と非標準記録媒体の蛍光三刺激値Ｘ’Ｙ’Ｚ’のうちのＺ’値との蛍光レベル相関係数を算出することを特徴とする。
本態様によれば、標準記録媒体の蛍光レベル三刺激値ＸＹＺのうちのＺ値と非標準記録媒体の蛍光三刺激値Ｘ’Ｙ’Ｚ’のうちのＺ’値との間の蛍光レベル相関係数を算出することで、蛍光レベル三刺激値のうちの相関関係が強いＺＺ‘値を用いて蛍光レベル相関係数を算出することができる。
【００４０】
＜第四態様＞
本態様の蛍光補正パラメータ算出方法決定部３８は、蛍光レベル相関係数が閾値以上の場合に、第一の蛍光補正パラメータ算出処理部３９ａに決定し、蛍光レベル相関係数が閾値未満の場合に、第二の蛍光補正パラメータ算出処理部３９ｂに決定することを特徴とする。
本態様によれば、蛍光レベル相関係数が閾値以上か未満かに応じて適切に蛍光補正パラメータの算出部を決定することができる。
【００４１】
＜第五態様＞
本態様の蛍光レベル三刺激値に代わって、ＲＧＢ表色系、ＵＣＳ表色系、ＬＡＢ表色系のうち何れか１つの表色系を用いることを特徴とする。
本態様によれば、蛍光レベル三刺激値に代わって、ＲＧＢ表色系、ＵＣＳ表色系、ＬＡＢ表色系のうち何れか１つの表色系を用いること、蛍光レベル相関係数を算出することができる。
【００４２】
＜第六態様＞
本態様の蛍光レベル相関係数算出部３７は、蛍光レベル三刺激値に代わって、均等知覚色空間を用いる場合に、彩度成分を用いて蛍光レベル相関係数を算出することを特徴とする。
本態様によれば、蛍光レベル三刺激値に代わって、均等知覚色空間を用いる場合に、彩度成分を用いて蛍光レベル相関係数を算出することで、蛍光レベル相関係数を算出することができる。
【００４３】
＜第七態様＞
本態様の蛍光レベル相関係数算出部３７は、線形近似した場合におけるＺ成分の相関度合いを表す第一の蛍光レベル相関係数を算出する第一の蛍光レベル相関係数算出手段（Ｓ２０７）と、非線形近似した場合におけるＺ成分の相関度合いを表す第二の蛍光レベル相関係数を算出する第二の蛍光レベル相関係数算出手段（Ｓ２０８）と、を備え、蛍光補正パラメータ算出方法決定部３８は、第一の蛍光レベル相関係数と第二の蛍光レベル相関係数の大小関係を比較する相関係数大小比較手段（Ｓ２０９）を備え、相関係数大小比較手段（Ｓ２０９）による比較結果に応じて、第一の蛍光補正パラメータ算出処理手段（Ｓ２１０）と第二の蛍光補正パラメータ算出処理手段（Ｓ２１１）のうちどちらを使用するかを決定することを特徴とする。
本態様によれば、第一の蛍光補正パラメータ算出処理手段（Ｓ２１０）と第二の蛍光補正パラメータ算出処理手段（Ｓ２１１）のうちどちらを使用することで、線形近似を用いた第一の蛍光補正パラメータ、又は非線形近似を用いた第二の蛍光補正パラメータを算出することができ、どちらかの蛍光補正パラメータを用いて、標準記録媒体とは異なる蛍光特性を有する非標準記録媒体に形成される画像の見かけ上の色を標準記録媒体に形成される画像の見かけ上の色と一致させることができる。
【００４４】
＜第八態様＞
本態様の画像処理方法は、標準記録媒体の蛍光レベル三刺激値と、標準記録媒体とは異なる非標準記録媒体の蛍光レベル三刺激値に基づいて、線形近似を用いて第一の蛍光補正パラメータを算出する第一の蛍光補正パラメータ算出処理ステップ（Ｓ１０７）と、標準記録媒体の蛍光レベル三刺激値と、非標準記録媒体の蛍光レベル三刺激値に基づいて、非線形近似を用いて第二の蛍光補正パラメータを算出する第二の蛍光補正パラメータ算出処理ステップ（Ｓ１０８）と、標準記録媒体の蛍光レベル三刺激値と、非標準記録媒体の蛍光レベル三刺激値との間の蛍光レベル相関係数を算出する蛍光レベル相関係数算出ステップ（Ｓ１０５）と、蛍光レベル相関係数に基づいて、第一の蛍光補正パラメータ算出処理ステップ（Ｓ１０３）と第二の蛍光補正パラメータ算出処理ステップ（Ｓ１０７）のうちどちらを使用するかを決定する決定ステップ（Ｓ１０８）と、を備えることを特徴とする。
本態様によれば、第一の蛍光補正パラメータ算出処理ステップ（Ｓ１０７）と第二の蛍光補正パラメータを算出する第二の蛍光補正パラメータ算出処理ステップ（Ｓ１０８）とのうちどちらかを使用することで、線形近似を用いた第一の蛍光補正パラメータ、又は非線形近似を用いた第二の蛍光補正パラメータを算出することができ、どちらかの蛍光補正パラメータを用いて、標準記録媒体とは異なる蛍光特性を有する非標準記録媒体に形成される画像の見かけ上の色を標準記録媒体に形成される画像の見かけ上の色と一致させることができる。
【００４５】
＜第九態様＞
本態様のプログラムは、第八態様の各ステップをプロセッサに実行させることを特徴とする。
本態様によれば、各ステップをＣＰＵに実行させることができるので、第一の蛍光補正パラメータ算出処理ステップ（Ｓ１０７）と第二の蛍光補正パラメータを算出する第二の蛍光補正パラメータ算出処理ステップ（Ｓ１０８）とのうちどちらかを使用することで、線形近似を用いた第一の蛍光補正パラメータ、又は非線形近似を用いた第二の蛍光補正パラメータを算出することができ、どちらかの蛍光補正パラメータを用いて、標準記録媒体とは異なる蛍光特性を有する非標準記録媒体に形成される画像の見かけ上の色を標準記録媒体に形成される画像の見かけ上の色と一致させることができる。
【符号の説明】
【００４６】
１…画像形成システム、１０…測色装置、２０…ユーザＰＣ、３０…蛍光補正パラメータ生成装置、３１…標準記録媒体分光反射率取得部、３２…非標準記録媒体分光反射率取得部、３３…蛍光レベル差算出部、３４…標準記録媒体蛍光レベル三刺激値ＸＹＺ算出部、３５…非標準記録媒体蛍光レベル三刺激値ＸＹＺ算出部、３６…取得部、３７…蛍光レベル相関係数算出部、３８…蛍光補正パラメータ算出方法決定部、３９…蛍光補正パラメータ生成部、４０…画像形成装置、５０…画像処理装置、５１…画像データ取得部、５２…画像データ、５３…ソースプロファイル色変換部、５５…蛍光補正パラメータ取得部、５６…蛍光補正処理部、５７…出力プロファイル変換部
【先行技術文献】
【特許文献】
【００４７】
【特許文献１】特許第５０７０７６９号
【図１】
2016005243.tif 000008
【図２】
2016005243.tif 000009
【図３】
2016005243.tif 000010
【図４】
2016005243.tif 000011
【図５】
2016005243.tif 000012
【図６】
2016005243.tif 000013
【図７】
2016005243.tif 000014
【図８】
2016005243.tif 000015
【図９】
2016005243.tif 000016
【図１０】
2016005243.tif 000017
【図１１】
2016005243.tif 000018